(57)【要約】【課題】カラオケマイクの外周面に複数個のＬＥＤを装置したカバーを装着して、前記ＬＥＤが点滅を繰り返すようにしたＬＥＤを配設したカバーを装置したカラオケマイクを提供する。【解決手段】カラオケマイク１の外周面に、複数個のＬＥＤ３を装置したカバー４を装着固定して、カラオケ時に、ＬＥＤ３の電源スイッチ１７をＯＮすると、カラオケマイク使用者の音声およびカラオケ演奏音に同期することなく、前記ＬＥＤ３が適宜間隔で複数の色による点滅を繰り返す一方、更に、前記ＬＥＤ３の電源スイッチ１７を音センサー１８が作動するよう切換えると、カラオケマイク使用者の音声およびカラオケ演奏音を前記音センサー１８が検知し、該音声および演奏音に同期して、前記ＬＥＤ３が点滅を繰り返すよう構成する。【選択図】図１
2017083744.tif 000002
【特許請求の範囲】
【請求項１】
カラオケマイクの外周面に、複数個のＬＥＤを装置したカバーを装着して、カラオケ時に、ＬＥＤの電源スイッチをＯＮすると、カラオケマイク使用者の音声およびカラオケ演奏音に同期することなく、前記ＬＥＤが適宜間隔で複数の色による点滅を繰り返す一方、更に、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返すようにしたＬＥＤを装置したカバーを装着したカラオケマイクであって、前記カバーが、上方開口部と下方開口部を備え、且つ前記カラオケマイクの握り部の形状よりやや径大な円筒状に第１のカバー部材が形成されると共に、該第１のカバー部材の外周面には、複数個のＬＥＤを、間隔を有して導線を介して直列に接続されたＬＥＤ群が設置固定される一方、透明または半透明に形成された第２のカバー部材を、前記複数個のＬＥＤを装置した第１のカバー部材の外周面上に装着固定して形成されたことを特徴とするＬＥＤを装置したカバーを装着したカラオケマイク。
【発明の詳細な説明】
【技術分野】
【０００１】
本発明は、カラオケマイクの外周面に複数個のＬＥＤ(発光ダイオード)を装置したカバーを装着して、カラオケ時に前記ＬＥＤの電源スイッチをＯＮすることにより、カラオケマイク使用者の音声およびカラオケ演奏音に同期することなく、前記ＬＥＤが適宜間隔で複数の色による点滅を繰り返す一方、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返して、使用者および周りの人にカラオケ時の雰囲気を更に盛り上がらせ、且つ視覚的に豪華な雰囲気を醸し出すことができるＬＥＤを配設したカバーを装置したカラオケマイクに関するものである。
【背景技術】
【０００２】
従来一般に、カラオケマイクはそのほとんどグレーで統一されていて、非常に暗いという印象を与え、カラオケ時の楽しい雰囲気にはそぐわないという感じがする。また、カラオケマイクにＬＥＤを装着して、カラオケ時に複数個のＬＥＤが適宜間隔で複数の色による点滅を繰り返して、使用者および周りの人にカラオケ時の雰囲気を更に盛り上がらせ、且つ視覚的に豪華な雰囲気を醸し出すことができるという、カラオケマイクの技術思想につき、過去の特許文献を遡及探索しても、１件の先行技術も発見することができず、単に下記特許文献に示す「カラオケマイクおよびカラオケシステム」が開示されているに過ぎない。
【先行技術文献】
【特許文献】
【０００３】
【特許文献１】特開２００７−２２５９９３号公報
【発明の概要】
【発明が解決しようとする課題】
【０００４】
前記従来一般に使用されているカラオケマイクは、そのほとんどが、全体でグレーに統一されているため、暗い印象を与え、カラオケ時の楽しい雰囲気にそぐわないという課題があり、また前記特許文献１記載の発明は、単にカラオケマイクに、人体の振動を検出する振動検出手段を備えたカラオケマイクであって、カラオケ時の緊張度の判定の参考とするためのものであるので、カラオケ時にＬＥＤが適宜間隔で複数の色による点滅を繰り返して、使用者および周りの人にカラオケ時の雰囲気を更に盛り上がらせ、且つ視覚的に豪華な雰囲気を醸し出すことができるという効果を全く期待できないという課題があった。
【０００５】
本発明は、前記課題を解決すべくなされたものであって、カラオケマイクの外周面に、複数個のＬＥＤを装置したカバーを装着して、カラオケ時に、ＬＥＤの電源スイッチをＯＮすると、カラオケマイク使用者の音声およびカラオケ演奏音に同期することなく、前記ＬＥＤが適宜間隔で複数の色による点滅を繰り返す一方、更に、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返して、使用者および周りの人にカラオケ時の雰囲気を更に盛り上がらせ、且つ視覚的に豪華な雰囲気を醸し出すことができるＬＥＤを装置したカバーを装着したカラオケマイクを提供しようとするものである。
【課題を解決するための手段】
【０００６】
本発明は、カラオケマイクの外周面に、複数個のＬＥＤを装置したカバーを装着して、カラオケ時に、ＬＥＤの電源スイッチをＯＮすると、カラオケマイク使用者の音声およびカラオケ演奏音に同期することなく、前記ＬＥＤが適宜間隔で複数の色による点滅を繰り返す一方、更に、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返すようにしたＬＥＤを装置したカバーを装着したカラオケマイクであって、前記カバーが、上方開口部と下方開口部を備え、且つ前記カラオケマイクの握り部の形状よりやや径大な円筒状に第１のカバー部材が形成されると共に、該第１のカバー部材の外周面には、複数個のＬＥＤを、間隔を有して導線を介して直列に接続されたＬＥＤ群が設置固定される一方、透明または半透明に形成された第２のカバー部材を、前記複数個のＬＥＤを装置した第１のカバー部材の外周面上に装着固定して形成されるという手段を採用することにより、上記課題を解決した。
【発明の効果】
【０００７】
上記構成より成る本発明によれば、カラオケマイクの握り部の外周面に、複数個のＬＥＤを装置したカバーを装着して、カラオケ時に、ＬＥＤの電源スイッチをＯＮすると、カラオケマイク使用者の音声およびカラオケ演奏音に同期することなく、前記ＬＥＤが適宜間隔で複数の色による点滅を繰り返す一方、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返して、使用者および周りの人にカラオケ時の雰囲気を更に盛り上がらせると共に、視覚的に豪華な雰囲気を醸し出すことができるという極めて優れた効果を奏することができる。また、その構造も簡単で、且つ材料費も安価であるので、製作も容易で安価に提供できるという効果も奏することができる。
【図面の簡単な説明】
【０００８】
【図１】本発明ＬＥＤを装置したカバーを装着したカラオケマイクの実施例を示す全体の斜視図である。
【図２】本発明ＬＥＤを装置したカバーを装着したカラオケマイクの実施例を示す組立分解斜視図である。
【図３】図１のＡ―Ａ線断面図である。
【図４】本発明ＬＥＤを装置したカバーを装着したカラオケマイクにおけるカバーの実施例を示す要部の斜視図である。
【図５】本発明ＬＥＤを装置したカバーを装着したカラオケマイクにおける主装置収納部材の実施例を示す縦断面図である。
【図６】本発明ＬＥＤを装置したカバーを装着したカラオケマイクにおける回路の実施例を示す概略回路図である。
【実施例】
【０００９】
本発明の実施例を図面に基づいて詳細に説明する。本発明は、従来一般に使用されているカラオケマイク１の握り部２の外周面に、複数個のＬＥＤ３を間隔を有して装置したカバー４を取外し可能に装着して形成されている。すなわち、前記カバー４は、前記握り部２の下方側より嵌挿して、マイク部５を上方に突出させると共に、アンテナ部６を下方へ突出させて、該握り部２の外周面に摺接するようにして装着され、該カラオケマイク１を上方へ持上げることにより、該カラオケマイク１を前記カバー４から簡単に取外すことができるよう形成されている。
【００１０】
そして、前記カバー４は、上端と下端をそれぞれ開口して上方開口部７と下方開口部８を備え、且つ前記カラオケマイク１の握り部２の形状よりやや径大な円筒状に形成されると共に、前記握り部２の外周面に摺接する円筒状の第１のカバー部材９と、該第１のカバー部材９の外周面に一体に嵌挿固定する、該第１のカバー部材９よりやや径大な第２のカバー部材１０とにより形成される一方、前記カバー４の上方部には、カラオケマイク１を起動する起動スイッチ１１を、該カバー４を前記カラオケマイク１に装着したまま手で操作できるよう、該起動スイッチ１１を露出させるスリット１２が形成されている。
【００１１】
前記カバー４を構成する第１のカバー部材９は、例えば、ポリ塩化ビニールやポリエチレン等のプラスチック、または前記第１のカバー部材９としての保型性を保つことができる程度の硬度性を有するシリコーンゴム等のゴムにより形成されると共に、該第１のカバー部材９の外周面には、複数個のＬＥＤ３を、間隔を有して導線１３を介して直列に接続されたＬＥＤ群１４が、例えば、接着材により接着して設置固定されている。そして、前記複数個のＬＥＤ３を、間隔を有して直列に接続した導線１３の形状は、前記第１のカバー部材９の外周面に螺旋状に巻回してもよいし、またはジグザグ状に巻回する等、任意である。
【００１２】
なお、前記第１のカバー部材９が前記プラスチックで形成されている場合は、その内周壁面に、特に限定する必要はないが、好ましくは、該第１のカバー部材９内に嵌挿されたカラオケマイク１が、取外しも容易であるが、簡単には離脱しないよう、滑り止め作用を有すると共に、前記カラオケマイク１を保護するクッション材の役目も果たす、例えば、摩擦係数が小さいゴムシートを貼着したり、あるいはフッ素ゴム系塗料を塗布して成る滑り止め手段１５を設けることが推奨される。
【００１３】
一方、前記第１のカバー部材９が、前記ある程度の硬度性を有するシリコーンゴム等のゴムで形成されている場合は、摩擦係数が前記プラスチックに比して比較的大であって、滑り止め作用を有するため、前記滑り止め手段１５を備える必要はない。
【００１４】
前記ＬＥＤ群１４を構成する各ＬＥＤ３は、該ＬＥＤ３を一定間隔で、複数個の色により繰返して点滅させることができるものであれば、いずれも採用することができるが、ＬＥＤ内部に、該ＬＥＤを一定間隔で、複数個の色により繰返して点滅させることができるよう、予めプログラムされた制御ＩＣを内蔵した自己点滅ＬＥＤ、または、イルミネーションＬＥＤを使用することが推奨される。これにより、前記各ＬＥＤ３を、前記制御ＩＣに予めプログラムされた間隔で、複数個の色により点滅を繰返すことができるよう形成されている。
【００１５】
前記第１のカバー部材９の外周面の上方側には、前記ＬＥＤ３に電源を供給する電池１６、電源スイッチ１７、音センサー１８等の主装置を内設した主装置収納部材１９が一体に固定されている。前記主装置収納部材１９は、前記電池１６、電源スイッチ１７および音センサー１８等の主装置の取付けおよび操作が容易になるような構成であればよく、その構成は特に限定する必要はないが、好ましくは図に示すような箱型の構成とすることが推奨される。以下、主装置収納部材１９が、箱型に形成されているものとして説明する。
【００１６】
前記主装置収納部材１９に収納される、前記各ＬＥＤ３に電源を供給する電池１６は、所謂「ボタン電池」といわれているアルカリ電池、リチウム電池等の超小型電池、または繰返し充電可能なリチウムイオン電池のいずれも使用することができる。本発明においては、特に限定する必要はないが、好ましくは、繰返し充電可能なリチウムイオン電池を使用することが推奨される。以下、本発明においては、リチウムイオン電池を使用するものとして説明する。
【００１７】
前記主装置収納部材１９は、内部に電池収納部２０と音センサー収納部２１とが設置されており、該電池収納部２０には前記電池１６のプラス側とマイナス側に接続する接続端子（図示省略）がそれぞれ設けられて、前記導線１３に接続され、更に、前記主装置収納部材１９には蓋片２２が開閉自在に設置されている。また、前記電池収納部１９には、前記電池１６を取外すことなく、充電することができるよう、充電用ＵＳＢに接続する接続端子２３が設置されている。
【００１８】
更に、前記主装置収納部材１９の上方部の、前記カラオケマイク１のマイク部５に近接した位置に開口部２４が開口され、前記音センサー収納部２１に収納された音センサー１８のセンサー部２５が、前記開口部２４において露出して設置されている。カラオケマイク使用者の音声あるいはカラオケ演奏音を前記センサー部２５で拾って検知すると、その検知信号は増幅部２６によって増幅され、該増幅された検知信号は制御部２７によって制御され、その出力信号によって、カラオケマイク使用者の音声およびカラオケ演奏音と同期して、前記ＬＥＤ３の点滅を繰り返すことができるよう構成されている。
【００１９】
また、前記主装置収納部材１９の適位置には、３段に切り換えることができる電源スイッチ１７が設置されており、該電源スイッチ１７の切り換えにより、前記電池１６に導線１３を介して接続されたＬＥＤ３、または、音センサー１８を介在せしめて、電池１６に導線１３を介して接続されたＬＥＤ３に、選択して電源を供給することができるよう形成されている。前記電源スイッチ１７は、前記３段に切り換えることのできる電源スイッチであれば、いずれも採用することができる。そして、前記電源スイッチ１７としては、プッシュスイッチ、スライドスイッチおよびロータリースイッチのいずれの使用することができるが、本発明においては、特に限定する必要はないが、好ましくは、図１・２・４に示すよう、操作性の面からプッシュスイッチを使用することが推奨される。以下、電源スイッチ１７としてプッシュスイッチを使用するものとして説明する。
【００２０】
前記電源スイッチ１７としてプッシュスイッチを使用する場合、該プッシュスイッチの第１のプッシュ操作で、電源がＯＮされると同時にＬＥＤ３に通電されると、カラオケマイク使用者の音声およびカラオケ演奏音に同期することなく、前記各ＬＥＤ３が制御ＩＣに予めプログラムされた間隔で、複数個の色により点滅を繰返すことができる。すなわち、前記各ＬＥＤ３は、カラオケマイク使用者の音声やカラオケ演奏音がなくても点滅を繰返すことになる。
【００２１】
そして、前記電源スイッチ１７の第２のプッシュ操作で、前記音センサー１８側に電源が切換り、カラオケマイク使用者の音声およびカラオケ演奏音を、前記センサー部２５で検知することができるような状態となり、カラオケマイク使用者の音声およびカラオケ演奏音に同期して、前記ＬＥＤ３の点滅を繰り返すことができる。この場合、前記カラオケマイク使用者の音声およびカラオケ演奏音が途絶えると、その間は、前記ＬＥＤ３は点滅せず、消灯したままの状態となる。そして再び、カラオケマイク使用者の音声およびカラオケ演奏音が再開されると、再度前記ＬＥＤ３の点滅を繰り返すことになる。
【００２２】
その後、前記電源スイッチ１７の第２のプッシュ操作により、前記音センサー１８が作動している状態で、第３のプッシュ操作をすることにより、電源ＯＦＦとなり、前記ＬＥＤ３の点滅作動が停止する。以下、電源スイッチ１７のプッシュ操作により、前記作動を繰返すことができる。
【００２３】
一方、前記複数個のＬＥＤ３を装置固定した第１のカバー部材７の外周面に装着される第２のカバー部材１０は、前記ＬＥＤ３の光が外部より透けて見えるか、あるいは滲んで見えるような透明または半透明のプラスチック、例えば、ポリ塩化ビニールやポリエチレン等のプラスチック、または前記第２のカバー部材１０としての保型性を保つことができる程度の硬度性を有するシリコーンゴム等のゴムにより形成されると共に、前記第２のカバー部材１０が前記複数個のＬＥＤ３を装置固定した前記第１のカバー部材９の外周面上に装着固定されて、該第１のカバー部材９と第２のカバー部材１０間に前記ＬＥＤ群１４を挟持して一体に固定して、前記カバー４が形成されている。
【００２４】
なお、図中、２８は、前記第１のカバー部材７の上方外周面に固定された主装置収納部材１９が、前記第２のカバー部材８より外部に露出して位置できるよう、切り欠いた凹欠部である。そして、図４に示すように、前記主装置収納部材１９を固定した第１のカバー部材７の外周面に、前記第２のカバー部材８を下方より挿入して上方へ移動させることにより、該主装置収納部材１９が凹欠部２８部分に位置し、前記第２のカバー部材８が第１のカバー部材７の外周面に装着固定される。
【００２５】
前記構成より成る本発明によれば、前記カバー４を握り部２に装着固定したカラオケマイク１を、使用者が使用するに当たり、起動スイッチ１１をＯＮしてカラオケマイク１を起動し、その後任意の時点で、電源スイッチ１７の第１のＯＮ操作で、各ＬＥＤ３が電気的に接続され、カラオケマイク使用者の音声およびカラオケ演奏音に同期することなく、前記制御ＩＣのプログラムに基づき、前記ＬＥＤ３が適宜間隔で複数の色による点滅を繰り返すことができる。その後、電源スイッチ１７の第２のＯＮ操作で、前記音センサー１８側に電源が切換り、カラオケマイク使用者の音声およびカラオケ演奏音を、前記センサー部２５で検知することができるような状態となり、カラオケマイク使用者の音声およびカラオケ演奏音に同期して、前記ＬＥＤ３の点滅を繰り返すことができる。
【符号の説明】
【００２６】
１  カラオケマイク
２  握り部
３  ＬＥＤ
４  カバー
５  マイク部  
６  アンテナ
７  上方開口部
８  下方開口部
９  第１のカバー部材
１０  第２のカバー部材
１１  起動スイッチ
１２  スリット
１３  導線
１４  ＬＥＤ群
１５  滑り止め手段
１６  電池
１７  電源スイッチ
１８  音センサー
１９  主装置収納部材
２０  電池収納部
２１  音センサー収納部
２２  蓋片
２３  接続端子
２４  開口部
２５  センサー部
２６  増幅部
２７  制御部
２８  凹欠部
【図１】
2017083744.tif 000003
【図２】
2017083744.tif 000004
【図３】
2017083744.tif 000005
【図４】
2017083744.tif 000006
【図５】
2017083744.tif 000007
【図６】
2017083744.tif 000008
【手続補正書】
【提出日】平成28年6月1日(2016.6.1)
【手続補正１】
【補正対象書類名】明細書
【補正対象項目名】０００１
【補正方法】変更
【補正の内容】
【０００１】
本発明は、カラオケマイクの外周面に複数個のＬＥＤ(発光ダイオード)を装置したカバーを装着して、カラオケ時に前記ＬＥＤの電源スイッチをＯＮすることにより、カラオケマイク使用者の音声およびカラオケ演奏音に同期することなく、前記ＬＥＤが適宜間隔で複数の色による点滅を繰り返す一方、前記ＬＥＤの電源スイッチを音センサーが作動するよう切換えると、カラオケマイク使用者の音声およびカラオケ演奏音を前記音センサーが検知し、該音声および演奏音に同期して、前記ＬＥＤが点滅を繰り返して、使用者および周りの人にカラオケ時の雰囲気を更に盛り上がらせ、且つ視覚的に豪華な雰囲気を醸し出すことができるＬＥＤを装置したカバーを装着したカラオケマイクに関するものである。